(57)【要約】【課題】水域上に効率良く仮締切り構造体を構築することができる橋脚補修・補強工事に用いる仮締切り構造体の設置工法を提供することを目的とする。【解決手段】下部側仮締切り構造体２ａを水域中に設置した後、作業用足場４をこの水域中に設置した下部側仮締切り構造体２ａの上部位置まで降下させ、この降下させた作業用足場４を足場にして下部側仮締切り構造体２ａ上に仮締切り構造体２の上部側となる上部側仮締切り構造体２ｂを直接構築する。【選択図】図９
2020143489.tif 000002
【特許請求の範囲】
【請求項１】
水域上に架設される橋梁の補修・補強工事を行う対象の橋脚の周囲に作業用のドライエリアを形成するための仮締切り構造体を設置する橋脚補修・補強工事に用いる仮締切り構造体の設置工法であって、前記橋梁に沿って作業者が通行する通路用足場を形成する通路用足場形成工程と、前記通路用足場と連設され前記仮締切り構造体を構築する際の足場となる作業用足場を前記橋脚の周囲に形成する作業用足場形成工程と、前記作業用足場上で前記仮締切り構造体の下部側となる下部側仮締切り構造体を構築する下部側仮締切り構造体構築工程と、前記下部側仮締切り構造体を水域中に設置する下部側仮締切り構造体設置工程と、前記作業用足場を水域中に設置された前記下部側仮締切り構造体の上部位置まで降下させる作業用足場降下工程と、水域中に設置された前記下部側仮締切り構造体の上部位置まで降下させた前記作業用足場を足場にして前記下部側仮締切り構造体上に前記仮締切り構造体の上部側となる上部側仮締切り構造体を直接構築する上部側仮締切り構造体構築工程とを有することを特徴とする橋脚補修・補強工事に用いる仮締切り構造体の設置工法。
【請求項２】
前記橋梁の前記橋脚に受替え梁を設け、この受替え梁に前記作業用足場を吊り替える作業用足場吊り替え工程を有することを特徴とする請求項１記載の橋脚補修・補強工事に用いる仮締切り構造体の設置工法。
【請求項３】
前記作業用足場上で前記下部側仮締切り構造体を構築する前に若しくは構築途中で、前記作業用足場を降下させて前記下部側仮締切り構造体の構築空間を確保することを特徴とする請求項１，２のいずれか１項に記載の橋脚補修・補強工事に用いる仮締切り構造体の設置工法。
【請求項４】
前記作業用足場形成工程において昇降機能付き吊設具を介して前記作業用足場を前記橋梁に昇降自在に吊設することを特徴とする請求項１〜３のいずれか１項に記載の橋脚補修・補強工事に用いる仮締切り構造体の設置工法。
【請求項５】
複数の梁部材と、この梁部材の端部が水平回動自在且つ着脱自在に連結される梁連結部材と、前記梁部材の回動軸となると共にこの梁部材と前記梁連結部材との連結を保持する連結保持軸とを備え、前記梁部材の端部に設けられている軸挿通孔と前記梁連結部材に設けられている軸挿通孔とを連通状態にして軸挿通連通孔を形成しこの軸挿通連通孔に前記連結保持軸を挿入配設することで組み立て形成することができ、この組み立て形成された状態で前記軸挿通連通孔に挿通配設されている前記連結保持軸を抜き取ることで前記梁連結部材から前記梁部材を分離して撤去することができる折り畳み分解自在な吊り足場体を用いて前記作業用足場を形成することを特徴とする請求項１〜４のいずれか１項に記載の橋脚補修・補強工事に用いる仮締切り構造体の設置工法。
【請求項６】
前記吊り足場体を用いて前記通路用足場を形成することを特徴とする請求項５記載の橋脚補修・補強工事に用いる仮締切り構造体の設置工法。
【発明の詳細な説明】
【技術分野】
【０００１】
本発明は、河川、海、湖等の水域上に架設される橋梁の橋脚の補修・補強工事に用いる仮締切り構造体の設置工法に関するものである。
【背景技術】
【０００２】
河川、海、湖等の水域上に架設される橋梁の橋脚を補修、補強するための工事を行う際に、この橋脚の周囲に作業用のドライエリアを形成する場合があり、従来、このドライエリアを形成する工法として、仮締切り工法が知られている。
【０００３】
この仮締切り工法は、橋脚の周囲に鋼板等で形成される仮締切り構造体を設置して橋脚と水域を仕切り、この仮締切り構造体内の水を排水して橋脚の周囲にドライエリアを形成するものであり、本出願人は自己の先願に係る特願２０１８−３０６４５号において、この先願発明の足場構築工法を用いて橋脚の補修・補強工事における仮締切り構造体を用いた作業用ドライエリアの形成工法を提案している。
【０００４】
具体的には、この工法は、先ず、搬入路形成工程及び作業足場形成工程にて、橋梁の一側の陸地若しくは陸地に設けられる搬入部に連設する吊り足場を橋梁の橋桁に沿って工事対象の橋脚まで延設し、この橋桁に吊設された吊り足場により搬入路とこの搬入路に連設する仮締切り構造体を構築するための作業足場を形成し、次いで、作業足場吊り替え工程にて橋脚に受替え梁を設け、作業足場を形成する吊り足場を橋桁からこの受替え梁に吊り替え吊設し、次いで、仮締切り構造体構築・設置工程にて、この受替え梁に吊り替え吊設した吊り足場で形成される作業足場上で仮締切り構造体を構築し、その後、作業足場に開口部を形成し、この開口部を介して仮締切り構造体を降下させて水域中に配置し、最終工程である作業用ドライエリア形成工程にて仮締切り構造体の底部の橋脚貫通孔と橋脚との間を止水し、仮締切り構造体内に入り込んだ水を排水して、この仮締切り構造体内に作業用のドライエリアを形成するものである。
【発明の概要】
【発明が解決しようとする課題】
【０００５】
ところで、上述した先願発明に記載される仮締切り構造体の設置工法（以下、従来工法と称す。）は、高さが高い仮締切り構造体を構築、設置する場合は、仮締切り構造体を上下に分割して構築・設置しており、具体的には、先ず、作業足場上で仮締切り構造体の下部側を構築し、この下部側の仮締切り構造体を構築した後、この下部側の仮締切り構造体を昇降装置に連結し、この昇降装置により作業足場から浮上させた状態にした後、作業足場に開口部を形成し、にこの開口部よりこの下部側の仮締切り構造体を作業足場から降下させて水域中に設置し、その後、作業用足場に形成した開口部を閉口して作業足場をもとの状態に戻し、この作業足場上で仮締切り構造体の上部側を構築し、その後、下部側の仮締切り構造体と同様にこの上部側の仮締切り構造体も昇降装置に連結し、この昇降装置により作業足場から浮上させた状態にした後、作業足場に再び開口部を形成し、この開口部を介して作業足場から上部側の仮締切り構造体を降下させて、先に水域中に設置した下部側の仮締切り構造体上に載置し連結して仮締切り構造体を構築していた。
【０００６】
本発明は、この従来工法に係る改良発明であり、仮締切り構造体を下部側と上部側に分けて構築する場合に、仮締切り構造体の下部側となる下部側仮締切り構造体を水域中に設置する際に作業用足場に形成した開口部を閉口したり再び開口したりする作業用足場開閉作業の工数を削減すると共に、仮締切り構造体を昇降装置に連結して作業用足場から浮上させる仮締切り構造体昇降作業の工数を削減して、効率良く水域上に仮締切り構造体を構築することができる橋脚補修・補強工事に用いる仮締切り構造体の設置工法を提供することを目的とする。
【課題を解決するための手段】
【０００７】
添付図面を参照して本発明の要旨を説明する。
【０００８】
水域上に架設される橋梁１の補修・補強工事を行う対象の橋脚１ａの周囲に作業用のドライエリアを形成するための仮締切り構造体２を設置する橋脚補修・補強工事に用いる仮締切り構造体の設置工法であって、前記橋梁１に沿って作業者が通行する通路用足場３を形成する通路用足場形成工程と、前記通路用足場３と連設され前記仮締切り構造体２を構築する際の足場となる作業用足場４を前記橋脚１ａの周囲に形成する作業用足場形成工程と、前記作業用足場４上で前記仮締切り構造体２の下部側となる下部側仮締切り構造体２ａを構築する下部側仮締切り構造体構築工程と、前記下部側仮締切り構造体２ａを水域中に設置する下部側仮締切り構造体設置工程と、前記作業用足場４を水域中に設置された前記下部側仮締切り構造体２ａの上部位置まで降下させる作業用足場降下工程と、水域中に設置された前記下部側仮締切り構造体２ａの上部位置まで降下させた前記作業用足場４を足場にして前記下部側仮締切り構造体２ａ上に前記仮締切り構造体２の上部側となる上部側仮締切り構造体２ｂを直接構築する上部側仮締切り構造体構築工程とを有することを特徴とする橋脚補修・補強工事に用いる仮締切り構造体の設置工法に係るものである。
【０００９】
また、前記橋梁１の前記橋脚１ａに受替え梁５を設け、この受替え梁５に前記作業用足場４を吊り替える作業用足場吊り替え工程を有することを特徴とする請求項１記載の橋脚補修・補強工事に用いる仮締切り構造体の設置工法に係るものである。
【００１０】
また、前記作業用足場４上で前記下部側仮締切り構造体２ａを構築する前に若しくは構築途中で、前記作業用足場４を降下させて前記下部側仮締切り構造体２ａの構築空間を確保することを特徴とする請求項１，２のいずれか１項に記載の橋脚補修・補強工事に用いる仮締切り構造体の設置工法に係るものである。
【００１１】
また、前記作業用足場形成工程において昇降機能付き吊設具６を介して前記作業用足場４を前記橋梁１に昇降自在に吊設することを特徴とする請求項１〜３のいずれか１項に記載の橋脚補修・補強工事に用いる仮締切り構造体の設置工法に係るものである。
【００１２】
また、複数の梁部材７ａと、この梁部材７ａの端部が水平回動自在且つ着脱自在に連結される梁連結部材７ｂと、前記梁部材７ａの回動軸となると共にこの梁部材７ａと前記梁連結部材７ｂとの連結を保持する連結保持軸７ｃとを備え、前記梁部材７ａの端部に設けられている軸挿通孔７ｄと前記梁連結部材７ｂに設けられている軸挿通孔７ｅとを連通状態にして軸挿通連通孔を形成しこの軸挿通連通孔に前記連結保持軸７ｃを挿入配設することで組み立て形成することができ、この組み立て形成された状態で前記軸挿通連通孔に挿通配設されている前記連結保持軸７ｃを抜き取ることで前記梁連結部材７ｂから前記梁部材７ａを分離して撤去することができる折り畳み分解自在な吊り足場体７を用いて前記作業用足場４を形成することを特徴とする請求項１〜４のいずれか１項に記載の橋脚補修・補強工事に用いる仮締切り構造体の設置工法に係るものである。
【００１３】
また、前記吊り足場体７を用いて前記通路用足場３を形成することを特徴とする請求項５記載の橋脚補修・補強工事に用いる仮締切り構造体の設置工法に係るものである。
【発明の効果】
【００１４】
本発明は上述のようにするから、下部側仮締切り構造体を水域中に設置する際に作業用足場に形成した開口部を閉口したり再び開口したりする作業用足場開閉作業の工数を削減することができると共に、上部側仮締切り構造体を昇降装置に連結して作業用足場から浮上させる仮締切り構造体昇降作業を削減することができ、効率良く下部側仮締切り構造体上に上部側仮締切り構造体を構築して水域上に仮締切り構造体を構築することができる画期的な橋脚補修・補強工事に用いる仮締切り構造体の設置工法となる。
【図面の簡単な説明】
【００１５】
【図１】本実施例における施工前の橋梁を示す説明図正断面図（ａ）及び説明側面図（ｂ）である。
【図２】本実施例における施工手順（通路用足場形成工程及び作業用足場形成工程）を示す説明図正断面図（ａ）及び説明側面図（ｂ）である。
【図３】本実施例における施工手順（作業用足場吊り替え工程）を示す説明図正断面図（ａ）及び説明側面図（ｂ）である。
【図４】本実施例における施工手順（作業用足場吊り替え工程）を示す説明図正断面図（ａ）及び説明側面図（ｂ）である。
【図５】本実施例における施工手順（作業用足場吊り替え工程）を示す説明図正断面図（ａ）及び説明側面図（ｂ）である。
【図６】本実施例における施工手順（下部側仮締切り構造体構築工程）を示す説明図正断面図（ａ）及び説明側面図（ｂ）である。
【図７】本実施例における施工手順（下部側仮締切り構造体設置工程）を示す説明図正断面図（ａ）及び説明側面図（ｂ）である。
【図８】本実施例における施工手順（下部側仮締切り構造体設置工程）を示す説明図正断面図（ａ）及び説明側面図（ｂ）である。
【図９】本実施例における施工手順（作業用足場降下工程）を示す説明図正断面図（ａ）及び説明側面図（ｂ）である。
【図１０】本実施例における施工手順（上部側仮締切り構造体構築工程）を示す説明図正断面図（ａ）及び説明側面図（ｂ）である。
【図１１】本実施例における施工手順（上部側仮締切り構造体構築工程）を示す説明図正断面図（ａ）及び説明側面図（ｂ）である。
【図１２】本実施例における施工手順（ドライエリア形成工程）を示す説明図正断面図（ａ）及び説明側面図（ｂ）である。
【図１３】本実施例に用いられる吊り足場体を示す説明分解斜視図である。
【図１４】本実施例の作業用足場形成工程において形成した作業用足場を示す説明平面図である。
【図１５】本実施例の通路用足場形成工程及び作業用足場形成工程における通路用足場及び作業用足場を形成する際の作業手順を示す説明図であり、（ａ）は枠体を折り畳み状態で組付けた状態を示す図であり、（ｂ）は折り畳み状態で組付けた枠体を展開操作した状態を示す図であり、（ｃ）は展開した枠体に足場板を敷設した状態を示す図である。
【図１６】本実施例における受替え梁を示す側面図である。
【図１７】本実施例の下部側仮締切り構造体設置工程における作業用足場に開口部を形成した状態を示す説明平面図である。
【発明を実施するための形態】
【００１６】
好適と考える本発明の実施形態を、図面に基づいて本発明の作用を示して簡単に説明する。
【００１７】
通路用足場形成工程は、例えば陸地から橋梁１の補修・補強工事の対象となる橋脚１ａの近傍までの間、橋梁１に沿って作業者が陸地と作業用足場４とを行き来するための通路となる通路用足場３を形成する工程である。
【００１８】
また、作業用足場形成工程は、通路用足場形成工程において形成した通路用足場３と連設するようにして補修・補強工事の対象となる橋脚１ａの周囲に仮締切り構造体２を構築する際の足場となる作業用足場４を形成する工程である。
【００１９】
また、下部側仮締切り構造体構築工程は、分割構築する仮締切り構造体２の下部側となる下部側仮締切り構造体２ａを作業用足場４上で構築する工程である。
【００２０】
また、下部側仮締切り構造体設置工程は、下部側仮締切り構造体構築工程において構築した下部側仮締切り構造体２ａを水域中に設置する工程であり、具体的には、従来工法と同様、作業用足場４上に構築した下部側仮締切り構造体２ａを昇降装置８により作業用足場４から浮上させ、作業用足場４に下部側仮締切り構造体２ａが通過可能な開口部９を形成した後、この開口部９を介して昇降装置８により降下させてこの下部側仮締切り構造体２ａを水域中に設置するものである。
【００２１】
また、作業用足場降下工程は、下部側仮締切り構造体設置工程において水域中に設置した下部側仮締切り構造体２ａ上に仮締切り構造体２の上部側となる上部側仮締切り構造体２ｂを直接積み上げ形成（構築）するため、作業用足場４を下部側仮締切り構造体２ａの上部位置まで降下させる工程であり、具体的には、降下させる作業用足場４は、下部側仮締切り構造体２ａを降下させるために形成した開口部９を開口させたままの状態で降下させる。即ち、この作業用足場降下工程においては、水域中に設置した下部側仮締切り構造体２ａの上部がこの開口部９とほぼ面一状態若しくは開口部９からやや突出状態となる高さ位置まで作業用足場４を降下させる工程である。
【００２２】
また、上部側仮締切り構造体構築工程は、作業用足場降下工程において所定位置（下部側仮締切り構造体２ａの上部が作業用足場４に形成された開口部９とほぼ面一状態若しくは開口部９からやや突出状態となる位置）まで降下させた作業用足場４を足場にして、この作業用足場４に形成された開口部９から露出する下部側仮締切り構造体２ａの上端部上に直接、上部側仮締切り構造体２ｂを所定高さまで積み上げ形成して仮締切り構造体２を完成させる工程である。
【００２３】
このように、本発明は、下部側仮締切り構造体２ａ上に上部側仮締切り構造体２ｂを構築する際に、作業用足場４を下部側仮締切り構造体２ａの上部位置まで降下させ、この下部側仮締切り構造体２ａの上部位置まで降下させた作業用足場４を作業足場にして直接下部側仮締切り構造体２ａ上に上部側仮締切り構造体２ｂを積み上げ形成してゆくから、従来工法で行われていた下部側仮締切り構造体を水域中に設置した後、上部側仮締切り構造体を構築するために作業用足場に形成した開口部を一旦閉口しその後また開口したりする作業用足場開閉作業や、下部側仮締切り構造体同様、上部側仮締切り構造体を昇降装置に連結してこの下部側仮締切り構造体を昇降操作する上部側仮締切り構造体昇降作業が不要となり、これにより、従来工法に比べて効率良く下部側仮締切り構造体２ａ上に上部側仮締切り構造体２ｂを構築して水域中に仮締切り構造体２を構築することができる画期的な橋脚補修・補強工事に用いる仮締切り構造体の設置工法となる。
【００２４】
なお、本発明において、下部側仮締切り構造体設置工程と作業用足場降下工程の順序については、上述したように下部側仮締切り構造体設置工程を行ってから作業用足場降下工程を行っても良いし、また、逆に作業用足場降下工程を行ってから下部側仮締切り構造体設置工程を行っても良い。即ち、先に作業用足場４を所定位置まで降下させ、その後、作業用足場４に開口部９を形成して下部側仮締切り構造体２ａを水域中に降下設置しても良いこととする。
【実施例】
【００２５】
本発明の具体的な実施例について図面に基づいて説明する。
【００２６】
本実施例は、河川、海、湖等の水域上に架設される橋梁１の補修・補強工事の対象となる橋脚１ａの周囲に作業用のドライエリアを形成する仮締切り工法に、本発明の橋脚補修・補強工事に用いる仮締切り構造体の設置工法を適用した場合である。
【００２７】
具体的には、本実施例における仮締切り工法は、河川、海、湖等の水域上に架設される橋梁１の工事対象の橋脚１ａの周囲に仮締切り構造体２を設置して橋脚１ａと水域を仕切り、仮締切り構造体２内の水を排水して橋脚１ａの周囲にドライエリアを形成するものであり、より具体的には、（１）通路用足場形成工程、（２）作業用足場形成工程、（３）作業用足場吊り替え工程、（４）下部側仮締切り構造体構築工程、（５）下部側仮締切り構造体設置工程、（６）作業用足場降下工程、（７）上部側仮締切り構造体構築工程及び（８）ドライエリア形成工程を有するものである。
【００２８】
以下、本実施例の仮締切り工法の上記（１）〜（８）の各工程について、施工手順に沿って詳述する。
【００２９】
（１）通路用足場形成工程
本実施例の通路用足場形成工程は、図２に示すように、橋梁１の一側の陸地に設置した櫓状、階段状若しくはスロープ状の足場からなる出入部10から橋梁１の補修・補強工事の対象となる橋脚１ａの近傍（手前）までの間、橋梁１に沿って作業者が陸地と作業用足場４とを行き来するための通路となる通路用足場３を形成する工程である。
【００３０】
具体的には、本実施例の通路用足場形成工程は、複数の吊り足場体７を用い、この吊り足場体７を橋梁１の橋桁１ｂに吊設すると共に連設して、この橋桁１ｂに沿って通路用足場３を延設形成している。
【００３１】
また、本実施例は、この通路用足場３の形成に折り畳み自在且つ組み立て分解自在な吊り足場体７を用いており、この吊り足場体７は、折り畳み分解自在に構成された枠体７Ａと、この枠体７Ａに敷設する足場板７Ｂとからなるものである。
【００３２】
具体的には、枠体７Ａは、図１３に示すように、複数（例えば四本）の梁部材７ａと、この梁部材７ａの端部が水平回動自在且つ着脱自在に連結される梁連結部材７ｂと、梁部材７ａの回動軸となると共にこの梁部材７ａと梁連結部材７ｂとの連結を保持する連結保持軸７ｃとを備え、梁部材７ａの端部に設けられている軸挿通孔７ｄと、梁連結部材７ｂに設けられている軸挿通孔７ｅとを連通状態にして軸挿通連通孔を形成し、この軸挿通連通孔に連結保持軸７ｃを挿入配設することで組み立て形成することができ、この組み立て形成された状態で軸挿通連通孔に挿通配設されている連結保持軸７ｃを抜き取ることで梁連結部材７ｂから梁部材７ａを分離して撤去することができるように構成されている。
【００３３】
即ち、本実施例の通路用足場形成工程は、出入部10を足場にして、この出入部10に梁部材７ａと梁連結部材７ｂと連結保持軸７ｃにより折り畳み状態にした枠体７Ａを組み付け形成し、この折り畳み状態で組み付け形成した枠体７Ａを水平回動操作して展開状態にし、この展開状態の枠体７Ａに足場板７Ｂを敷設すると共に、この枠体７Ａに橋桁１ｂから吊下した吊設具11（例えば足場チェーン等）を連結して、通路用足場３となる最初の吊り足場体７を形成し、次いで、この最初の吊り足場体７を足場にしてこの最初の吊り足場体７を形成している枠体７Ａに、更に梁部材７ａと梁連結部材７ｂと連結保持軸７ｃを用いて折り畳み状態の新たな枠体７Ａを組み付け形成し、この折り畳み状態で組み付け形成した新たな枠体７Ａを水平回動操作して展開状態にし、この展開状態の枠体７Ａに足場板７Ｂを敷設すると共にこの枠体７Ａに橋桁１ｂから吊下した吊設具11を連結して最初の吊り足場体７に連設される新たな吊り足場体７を形成し、この新たな吊り足場体７を連設する作業を繰り返して通路用足場３を橋桁１ｂに沿って延設してゆくものである。
【００３４】
なお、本実施例の通路用足場３は、吊り足場体７同士が枠体７Ａの一部を共有する連設構造になっているため、必ずしも全ての吊り足場体７に吊設具11を連結して橋桁１ｂから吊設した状態にする必要は無く、吊設する吊り足場体７は適宜設定されるものとする。
【００３５】
（２）作業用足場形成工程
本実施例の作業用足場形成工程は、前述した通路用足場形成工程の次に行う工程であり、図２に示すように、通路用足場形成工程で形成した通路用足場３に連設するようにして、工事対象の橋脚１ａの周囲に仮締切り構造体２を構築する際の足場となる作業用足場４を形成する工程である。
【００３６】
具体的には、通路用足場形成工程における通路用足場３を形成する際に用いる吊り足場体７と同じ吊り足場体７を用いて作業用足場４を形成してゆく。
【００３７】
より具体的には、先に形成した通路用足場３の端部、具体的には、通路用足場３を形成している吊り足場体７の枠体７Ａの端部に、通路用足場３を足場にして、通路用足場形成工程での作業と同様に、梁部材７ａと梁連結部材７ｂと連結保持軸７ｃにより折り畳み状態の枠体７Ａを組み付け形成し、この折り畳み状態で組み付け形成した枠体７Ａを水平回動操作して展開状態にし、この展開状態の枠体７Ａに足場板７Ｂを敷設すると共にこの枠体７Ａに橋桁１ｂに設けた昇降機能付き吊設具６（例えばチェーンブロック）を連結して、作業用足場４となる最初の吊り足場体７を吊設形成し、次いで、この最初の吊り足場体７を足場にしてこの最初の吊り足場体７を形成している枠体７Ａに、更に梁部材７ａと梁連結部材７ｂと連結保持軸７ｃを用いて折り畳み状態の新たな枠体７Ａを組み付け形成し、この折り畳み状態で組み付け形成した新たな枠体７Ａを水平回動操作して展開状態にし、この展開状態の枠体７Ａに足場板７Ｂを敷設すると共にこの枠体７Ａに橋桁１ｂに設けた昇降機能付き吊設具６を連結して最初の吊り足場体７に連設される新たな吊り足場体７を吊設形成し、この新たな吊り足場体７を連設する作業を繰り返して、図１４に示すように、工事対象の橋脚１ａの周囲に作業用足場４を形成してゆく。
【００３８】
なお、通路用足場形成工程及び作業用足場形成工程において、吊り足場体７を用いて通路用足場３及び作業用足場４を形成する際、図１５に示すように、複数の枠体７Ａを折り畳み状態で連設形成し、その後、いずれか一体の枠体７Ａを水平回動操作して展開状態にすることで、連設する他の枠体７Ａを個別に展開操作しなくても、この水平回動操作した枠体７Ａの展開動作に連動して同時に展開状態にすることができ、効率良く通路用足場３及び作業用足場４を形成してゆくことができる。
【００３９】
（３）作業用足場吊り替え工程
本実施例の作業用足場吊り替え工程は、前述した作業用足場形成工程の次に行う工程であり、作業用足場形成工程において橋梁１の橋桁１ｂに吊設形成した作業用足場４を橋脚１ａに設けた受替え梁５に吊り替える工程である。
【００４０】
即ち、この作業用足場吊り替え工程は、作業用足場４を橋桁１ｂから橋脚１ａに設けた受替え梁５に吊り替えることにより、重量物である仮締切り構造体２を作業用足場４上で構築した際の荷重が橋桁１ｂに加わることを回避し、加重による橋桁１ｂへの悪影響が生じず、安心して作業用足場４上で仮締切り構造体２を構築することを目的として行われるものである。
【００４１】
具体的には、本実施例の作業用足場吊り替え工程は、図３に示すように、通路用足場３を介して受替え梁形成部材５ａ（受替え梁５を分解状態にしたもの）を作業用足場４に搬入した後、昇降機能付き吊設具６の操作により作業用足場４の一部若しくは全体を上昇させ、この上昇させた作業用足場４を利用して、受替え梁形成部材５ａを用いて、図１６に示すように、工事対象の橋脚１ａ上に受替え梁５（本実施例では図示するようにトラス梁を採用）を設け、図４に示すように、この橋脚１ａに設けた受替え梁５に作業用足場４を形成する吊り足場体７を吊り替え前と同様、昇降機能付き吊設具６を用いて昇降自在に吊り替え吊設する。
【００４２】
また、本実施例の作業用足場吊り替え工程においては、吊り替え作業完了後、昇降機能付き吊設具６を操作して、図５に示すように、作業用足場４を元の高さ位置（通路用足場３と同じ高さ位置）よりも降下させて、作業用足場４と橋梁１（橋桁１ｂ）との間の高さ空間を広げ、次工程の下部側仮締切り構造体構築工程における下部側仮締切り構造体２ａの構築空間を確保している。なお、作業用足場４の降下位置は構築する下部側仮締切り構造体２ａの高さにより適宜変更可能なものとする。
【００４３】
（４）下部側仮締切り構造体構築工程
本実施例の下部側仮締切り構造体構築工程は、前述した作業用足場吊り替え工程の次に行う工程であり、作業用足場吊り替え工程において橋桁１ｂから橋脚１ａに設けた受替え梁５に吊り替え吊設した作業用足場４上で、仮締切り構造体２の下部側となる下部側仮締切り構造体２ａを構築する工程である。
【００４４】
具体的には、先ず、予め作業者が手で持って運搬することができる程度の大きさに形成された下部側仮締切り構造体２ａを形成するための底板形成部材や周壁形成部材（ライナープレート）等の下部側用の仮締切り構造体形成部材を陸地から通路用足場３を介して作業用足場４まで作業者が持ち運び搬入する。
【００４５】
次いで、この作業用足場４に搬入した下部側用の仮締切り構造体形成部材を作業用足場４上で組み立てて、図６に示すように、作業用足場４上に下部側仮締切り構造体２ａを構築する。
【００４６】
より具体的には、作業用足場４上に、工事対象の橋脚１ａを囲繞するように平面視リング状の底板部を形成し、この底板部の外周縁部に沿って所定高さの周壁部を立設形成して、有底筒状の下部側仮締切り構造体２ａを構築する。
【００４７】
（５）下部側仮締切り構造体設置工程
本実施例の下部側仮締切り構造体設置工程は、前述した下部側仮締切り構造体構築工程の次に行う工程であり、下部側仮締切り構造体構築工程において作業用足場４上に構築した下部側仮締切り構造体２ａを水域中に設置する工程である。
【００４８】
具体的には、先ず、作業用足場４上に構築した下部側仮締切り構造体２ａを昇降移動させるための昇降装置８（例えば平衡保持用天秤とチェーンブロックで構成される昇降装置）を工事対象の橋脚１ａに設け、この昇降装置８と下部側仮締切り構造体２ａとを連結し、この昇降装置８により下部側仮締切り構造体２ａを上昇させ、作業用足場４に対して浮上状態にする。なお、昇降装置８は、受替え梁５に設けても良い。
【００４９】
次いで、図７及び図１７に示すように、作業用足場４に下部側仮締切り構造体２ａが通過可能な大きさの開口部９を、吊り上げ浮上させた下部側仮締切り構造体２ａの真下に、作業用足場４（具体的には、作業用足場４を形成している吊り足場体７）を撤去して形成する。
【００５０】
具体的には、先ず、開口部形成領域（撤去領域）の中心部に位置する吊り足場体７の足場板７Ｂを取り外して枠体７Ａを露出させ、枠体７Ａを足場側に引き寄せて折り畳み状態にし、この折り畳み状態にした枠体７Ａの軸挿通連通孔に挿通配設されている連結保持軸７ｃを抜き取り、梁連結部材７ｂから梁部材７ａを取り外し撤去し、次いで、この撤去した吊り足場体７に連設している別の吊り足場体７を同様の手順で撤去する。
【００５１】
次いで、昇降装置８を操作して、図８に示すように、作業用足場４に形成した開口部９を介して下部側仮締切り構造体２ａを降下させ、この下部側仮締切り構造体２ａを水域中に設置する。なお、図示しないが、この下部側仮締切り構造体２ａを降下させる際、橋脚１ａと下部側仮締切り構造体２ａの夫々にガイドレールを設け、このガイドレールに沿って降下させることで、下部側仮締切り構造体２ａを安定状態で水域中に降下させることができる。
【００５２】
（６）作業用足場降下工程
本実施例の作業用足場降下工程は、前述した下部側仮締切り構造体設置工程の次に行う工程であり、下部側仮締切り構造体設置工程において水域中に設置した下部側仮締切り構造体２ａ上に仮締切り構造体２の上部側となる上部側仮締切り構造体２ｂを直接積み上げ形成（構築）する際の足場となる作業用足場４を、下部側仮締切り構造体２ａの上部位置付近まで降下させる工程である。
【００５３】
具体的には、降下させる作業用足場４は、前工程の下部側仮締切り構造体設置工程において下部側仮締切り構造体２ａを降下させるために形成した開口部９を開口させたままとし、作業用足場吊り替え工程において作業用足場４に連結した昇降機能付き吊設具６の操作により降下させる。
【００５４】
なお、本実施例の作業用足場降下工程においては、図９に示すように、水域中に設置した下部側仮締切り構造体２ａの上端部と作業用足場４とがほぼ面一状態となるように降下移動させているが、例えば、下部側仮締切り構造体２ａの上部が作業用足場４の開口部９からやや突出状態となる高さ位置まで作業用足場４を降下させても良い。
【００５５】
（７）上部側仮締切り構造体構築工程
本実施例の上部側仮締切り構造体構築工程は、前述した作業用足場降下工程の次に行う工程であり、下部側仮締切り構造体設置工程において水域中に設置した下部側仮締切り構造体２ａ上に仮締切り構造体２の上部側となる上部側仮締切り構造体２ｂを直接積み上げ形成（構築）する工程である。
【００５６】
具体的には、図１０に示すように、先ず、作業用足場降下工程において下部側仮締切り構造体２ａの上部位置に合わせて降下移動させた作業用足場４を足場にして下部側仮締切り構造体２ａの上端部上に直接、周壁形成部材を直接積み上げ構築してゆき上部側仮締切り構造体２ｂを構築する。
【００５７】
より具体的には、例えば構築途中の上部側仮締切り構造体２ｂの高さがある程度の高さに到達したら、この構築途中の上部側仮締切り構造体２ｂの上端部位置に合わせて作業用足場４を上昇し、再び、この構築途中の上部側仮締切り構造体２ｂ上に更に上部側仮締切り構造体２ｂを構築するための周壁形成部材を積み上げ構築してゆき、以降、上部側仮締切り構造体２ｂが所定の高さになるまで同様の作業を繰り返して、上部側仮締切り構造体２ｂを構築する。
【００５８】
次に、図１１に示すように、この完成した仮締切り構造体２の浮上を防止するための浮上防止用部材12を橋脚１ａに設け、この浮上防止用部材12で仮締切り構造体２の上端部を押さえ、仮締切り構造体２の浮上を防止する。
【００５９】
このように、本実施例の上部側仮締切り構造体構築工程は、下部側仮締切り構造体２ａを直接、下部側仮締切り構造体２ａ上に構築してゆくから、従来工法において行われていた上部側仮締切り構造体２ｂを構築する際の下部側仮締切り構造体２ａを降下させるために作業用足場４に開口した開口部９の閉口作業、作業用足場４上で構築した上部側仮締切り構造体２ｂを昇降させる上部側仮締切り構造体昇降操作及び上部側仮締切り構造体２ｂを降下させるために作業用足場４に開口部９を形成する開口部形成作業等の上部側仮締切り構造体２ｂを構築する際の付帯作業が不要になり、上部側仮締切り構造体構築工程が簡易になり、更に、作業進捗に合わせて作業用足場４の高さ位置を調整することで、構築作業時に梯子等の使用が不要となり安全に効率的に作業を行うことができる。
【００６０】
（８）ドライエリア形成工程
本実施例のドライエリア形成工程は、前述した上部側仮締切り構造体構築工程の次に行う本実施例の仮締切り工法における最終工程であり、水域中に設置した仮締切り構造体２の底部の橋脚貫通孔（図示省略）と橋脚１ａとの間に形成される隙間に対して止水処理を施すと共に、仮締切り構造体２内に入り込んでいる水を排水して、この仮締切り構造体２内に作業用のドライエリア（非水域エリア）を形成する工程である。
【００６１】
具体的には、先ず、止水シートやゴム製の止水チューブ等の止水手段（図示省略）を、仮締切り構造体２の底部の橋脚貫通孔と橋脚１ａとの間に形成される隙間に配設し閉塞状態にしてこの隙間からの入水を防止する止水処理を行う。
【００６２】
次いで、この止水処理完了後に、図１２に示すように、仮締切り構造体２内の水をポンプ等の排水装置13を用いて排水して、この仮締切り構造体２内に作業用のドライエリアを形成する。
【００６３】
なお、本実施例は、このドライエリア形成工程においても図示するように作業用足場４を所望の位置に移動させて、この作業用足場４を足場にして作業を行うことで、安全且つ効率的に作業を行うことができる。
【００６４】
また、本発明は、本実施例に限られるものではなく、各構成要件の具体的構成は適宜設計し得るものである。
【符号の説明】
【００６５】
１  橋梁
１ａ  橋脚
２  仮締切り構造体
２ａ  下部側仮締切り構造体
２ｂ  上部側仮締切り構造体
３  通路用足場
４  作業用足場
５  受替え梁
６  昇降機能付き吊設具
７  吊り足場体
７ａ  梁部材
７ｂ  梁連結部材
７ｃ  連結保持軸
７ｄ  軸挿通孔
７ｅ  軸挿通孔
【図１】
2020143489.tif 000003
【図２】
2020143489.tif 000004
【図３】
2020143489.tif 000005
【図４】
2020143489.tif 000006
【図５】
2020143489.tif 000007
【図６】
2020143489.tif 000008
【図７】
2020143489.tif 000009
【図８】
2020143489.tif 000010
【図９】
2020143489.tif 000011
【図１０】
2020143489.tif 000012
【図１１】
2020143489.tif 000013
【図１２】
2020143489.tif 000014
【図１３】
2020143489.tif 000015
【図１４】
2020143489.tif 000016
【図１５】
2020143489.tif 000017
【図１６】
2020143489.tif 000018
【図１７】
2020143489.tif 000019